(57)【要約】      （修正有）【課題】固定具を用いずに、複数のバリエーションのテーブルを組み立て可能な組立式テーブルを提供する。【解決手段】組立式テーブル１０は、天板１００と２枚以上の脚板２００とを固定具を用いずに組み立てるテーブルである。前記２枚以上の脚板２００は、同一構造であり、各脚板２００は、互いに嵌合するための溝部（第１の溝部）と天板１００と嵌合するための突出部２００ｂとを有する。天板１００は、溝部１０５ｌ、１０５ｒ（第２の溝部）を有する。前記２枚以上の脚板２００は、２枚ずつを１組として脚板毎に設けられた溝部を嵌め合うことにより自立し、自立した脚板２００毎の突出部２００ｂに天板１００の溝部１０５を嵌め込む。【選択図】図１
0003150879.tif 000002
【実用新案登録請求の範囲】
【請求項１】
天板と２枚以上の脚板とを固定具を用いずに組み立てる組立式テーブルであって、
前記２枚以上の脚板は、同一構造であり、
前記２枚以上の脚板のそれぞれは、互いに嵌合するための第１の溝部と前記天板と嵌合するための突出部とを有し、
前記天板は、第２の溝部を有し、
前記２枚以上の脚板は、２枚ずつを１組として脚板毎に設けられた前記第１の溝部を嵌め合うことにより自立し、自立した脚板毎の前記突出部に前記天板の第２の溝部を嵌め込むことを特徴とする組立式テーブル。
【請求項２】
前記前記１組の脚板は、一方の脚板の第１の溝部と他方の脚板の第１の溝部とが互いに対向するように配置され、前記一方の脚板の第１の溝部と前記他方の脚板の第１の溝部とを嵌め合うことを特徴とする請求項１に記載の組立式テーブル。
【請求項３】
前記突出部は、前記脚板の上下面から突出した同一形状の突部であることを特徴とする前記請求項１又は請求項２のいずれかに記載の組立式テーブル。
【請求項４】
前記の第１の溝部には、隅切角が形成されていることを特徴とする請求項１〜３のいずれかに記載の組立式テーブル。
【請求項５】
前記脚板には、前記第１の溝部が設けられていない部分に開口が設けられていることを特徴とする請求項１〜４のいずれかに記載の組立式テーブル。
【考案の詳細な説明】
【技術分野】
【０００１】
本考案は、組立式家具に関し、より詳しくは、固定具を用いずに組み立てる組立式家具に関する。
【背景技術】
【０００２】
各種イベントの開催に際しては、イベント会場に入るためのチケットの売上げだけでなく、イベント会場での商品の直販が参加企業の重要な収益源の一つになっている。そのために、各社のブースには様々な商品が陳列される。
【０００３】
イベント会場での商品の陳列は商品の販売だけでなく、その商品を宣伝広告するための重要な機会になっている。このことから、参加企業側はなるべく多くの製品をユーザの興味を引くような陳列方法で展示しようとする。このため、イベント会場では、毎回、異なるタイプの机が必要になることが多い。
【０００４】
また、イベント会場では入場時間までに限りがあり、自ずとブースを準備するために使える時間的制約も大きい。よって、誰もが簡単に陳列テーブルを組み立てられることが望まれる。さらに、陳列テーブルのイベント会場への持ち運びは、組み立て前のパーツの状態で行われるため、各パーツは持ち運び易いように工夫されていることが好ましい。
【考案の概要】
【考案が解決しようとする課題】
【０００５】
上記状況に対して、テーブルの組み立てに固定具を用いる場合、組み立て時間が長くなる。また、固定具を一つでも紛失するとテーブルを組み立てられなくなるため、会場への固定具の持ち運びにも神経を使う。さらに、固定具を用いると、テーブルに必要な部品点数が増えてコスト高になる。
【０００６】
また、パーツの組合せを変更するだけで、イベント毎に要求される、異なるタイプのテーブルを組み立てることができれば、イベント毎に新しいテーブルを用意する必要がなくなり、便利であるとともにイベント開催費を節約できる。ただし、テーブルを組み立てる前の各パーツがそれぞれ異なる形状を有していると、イベント会場へのパーツの持ち運びが難しくなる。
【０００７】
本考案は、上記課題に鑑みなされたものであり、固定具を用いずに、複数のバリエーションのテーブルを適宜組み立て可能な組立式テーブルを提供することを目的としている。
【課題を解決するための手段】
【０００８】
上記課題を解決するために、本考案によれば、天板と２枚以上の脚板とを固定具を用いずに組み立てる組立式テーブルであって、前記２枚以上の脚板は、同一構造であり、前記２枚以上の脚板のそれぞれは、互いに嵌合するための第１の溝部と前記天板と嵌合するための突出部とを有し、前記天板は、第２の溝部を有し、前記２枚以上の脚板は、２枚ずつを１組として脚板毎に設けられた前記第１の溝部を嵌め合うことにより自立し、自立した脚板毎の前記突出部に前記天板の第２の溝部を嵌め込むことを特徴とする組立式テーブルが提案される。
【０００９】
かかる構成によれば、組み立て時、脚板は、２枚ずつを１組として脚板毎に設けられた溝部（第１の溝部）を嵌め合うことにより自立する。自立した脚板毎の突出部に天板の溝部（第２の溝部）が嵌め込まれる。これにより、天板と１組以上の脚板とを嵌合させるだけで固定具を用いずにテーブルが組み立てられる。
【００１０】
これによれば、テーブルの組み立てに固定具を用いないため、組み立てに時間を要しない。これにより、入場時間までに制限があるイベント会場において、誰もが速やかに陳列テーブルを組み立てることができる。また、運搬時の固定具の紛失等の心配がなく、固定具が不要な分だけコスト安ともなる。
【００１１】
また、脚板は、２枚ずつを１組としてそれぞれの溝部を嵌め合うことにより自立させ、その状態で天板の溝部に脚板の突出部を嵌合させる。たとえば、１組の脚板だけを用いて天板を支えるようにすれば、比較的小さなテーブルを組み立てることができる。また、２組以上の脚板を用いて天板を支えるようにすれば、比較的大きなテーブルを組み立てることができる。
【００１２】
さらに、かかる構成によれば、パーツの組合せを変更するだけで、イベント毎に必要となる、異なるタイプのテーブルを組み立てることができる。これにより、イベント毎に新しいテーブルを用意する必要がなくなり、便利であるとともにイベント開催費を節約できる。
【００１３】
ただし、テーブルを組み立てる前の各パーツがそれぞれ異なる形状を有していると、イベント会場へのパーツの持ち運びが難しくなる。しかしながら、かかる構成によれば、テーブルを構成する各パーツは同じ構成を有している。このため、イベント会場へのパーツの持ち運びが楽になる。
【００１４】
前記１組の脚板は、一方の脚板の第１の溝部と他方の脚板の第１の溝部とが互いに対向するように配置され、前記一方の脚板の第１の溝部と前記他方の脚板の第１の溝部とを嵌め合うようにしてもよい。
【００１５】
前記突出部は、前記脚板の上下面から突出した同一形状の突部であってもよい。
【００１６】
前記脚板の第１の溝部には、隅切角が形成されていてもよい。
【００１７】
前記脚板には、前記第１の溝部が設けられていない部分に開口が設けられていてもよい。
【考案の効果】
【００１８】
本考案によれば、固定具を用いずに、複数のバリエーションのテーブルを組み立てることができる。
【図面の簡単な説明】
【００１９】
【図１】本考案の一実施形態に係る組立式テーブルの概略構成図である。
【図２】同実施形態及び変形例に係る天板の裏面を示した図である。
【図３】同実施形態に係る脚部の組み立てを説明するための図である。
【図４】同実施形態の変形例に係る天板の裏面を示した図である。
【考案を実施するための形態】
【００２０】
以下に、添付した図面を参照しながら、本考案の好適な実施形態について詳細に説明する。なお、本明細書および図面において、実質的に同一の機能を有する構成要素については、同一の符号を付することにより重複説明を省略する。
【００２１】
＜第１実施形態＞
（組立式テーブルの全体構成）
初めに、第１実施形態に係る組立式テーブル１０の全体構成について説明する。図１は、第１実施形態に係る組立式テーブル１０を示す。本実施形態に係る組立式テーブル１０は、天板と２枚以上の脚板とを固定具を用いずに組み立てることにより完成する。以下に、各構成について説明する。
【００２２】
（天板）
本実施形態に係る組立式テーブル１０は、１枚の天板１００と４枚の脚板２００とを有している。天板１００は、角が丸められたＲ形状のプレートであり、図２（ａ）に天板１００の裏面を示したように、天板１００の左側と右側に４つの溝部１０５ｌと４つの溝部１０５ｒとを有する。溝部１０５ｌ、１０５ｒは、大文字のＸ形状の端部に位置する。この溝部１０５ｌ、１０５ｒは、第２の溝部の一例である。
【００２３】
（脚板）
再び、図１に戻って、４枚の脚板２００は、概ね長方形のプレートであり、すべて同一構造である。本実施形態では、２枚ずつを１組とした脚板２００を２組用いて天板１００を支持する。図３に示したように、各脚板２００は、脚板２００を互いに嵌合させるための溝部２００ａと、天板１００の溝部１０５ｌ（又は溝部１０５ｒ）と嵌合するための突出部２００ｂとを有している。脚板２００の溝部は、第１の溝部の一例である。
【００２４】
溝部２００ａは、脚板２００の略中央まで切り込まれていて、一方の脚板２００を他方の脚板２００と向かい合わせにした状態（図３では、一方を逆さにした状態）で、両方の脚板２００の溝部２００ａ嵌め合わせる。このようにして、図１に示したように、２枚の脚板２００は、横断面が十字になるようにほぼ垂直な位置関係になるように組み合わさる。これにより、自立することが可能な脚部３００の組み立てが完成する。
【００２５】
突出部２００ｂは、脚板２００の上下面から突出した同一形状の突部である。具体的には、突出部２００ｂは、上面の左端部及び右端部から飛び出した凸部と、下面の左端部及び右端部に飛び出した凸部とからなる。
【００２６】
このように、脚板２００の上下面にミラー状に突出部２００ｂを設けることにより、上下の区別をせずに脚板２００を組み立て、使用することができる。すなわち、これらの凸状の突出部２００ｂは、すべて同じ寸法及び形状である。また、４つの突出部２００ｂは、天板１００の裏面に形成された溝部１０５ｌ、１０５ｒともほぼ同じ寸法及び形状であり、突出部２００ｂを、溝部１０５ｌ、１０５ｒに嵌め込むようになっている。
【００２７】
これにより、上下の突出部２００ｂのいずれか一方（図１では下側）は本テーブルの脚になり、いずれか他方（図１では上側）は、天板１００の裏面に形成された欠き込み（雌タボ）への雄タボとなり、これにより、天板１００のずれを防止する。
【００２８】
脚板２００の溝部２００ａが設けられていない部分には、開口Ｏｐが形成されている。持ち運びのためには、組立式テーブルの各パーツは軽いほうがよい。特に、脚板２００に木材を使用している場合には、開口Ｏｐを空けて軽量化し、持ち運びの利便性を上げることは有益である。このため、開口Ｏｐが設けられている。しかしながら、脚板２００は、天板１００を支持し、商品を天板１００上に陳列するため、強度も重要である。従って、強度が著しく低下しない程度の大きさ及び位置に開口Ｏｐを形成する。
【００２９】
（組立式テーブルの組み立て方法）
次に、組立式テーブル１０の組み立て方法について説明する。図３に脚板２００の組み立て方法を示す。２枚の脚板２００は、一方を逆さにして、互いの溝２００ａに差し込むことにより嵌合される。これにより、４枚の脚板２００は、２枚ずつを１組として脚部３００を形成し、自立する。溝部２００ａの入口には、隅切角２００ａ１が形成されていて、２枚の脚板２００の溝部２００ａを互いに差し込み易く工夫されている。また、これにより、横スライド、斜め上部からの差し込みが容易になる。
【００３０】
このような簡単な組立方法により、図１に示した脚部３００を組み立てた後、脚部３００と天板１００とを組み立てる。具体的には、天板１００の裏面に形成された４つの溝部１０５ｌ及び４つの溝部１０５ｒに各組の脚部３００の突出部２００ｂをそれぞれ嵌め込む。これにより、４枚の脚板２００及び１枚の天板１００だけを用いて、固定具を用いることなく簡単に機能的でおしゃれなテーブルを組み立てることができる。
【００３１】
以上に説明したように、本実施形態に係る組立式テーブル１０の構成によれば、テーブルの組み立てに際して、２枚以上の脚板２００は、２枚ずつを１組として脚板２００毎に設けられた溝部２００ａを嵌め合うことにより自立する。自立した脚板２００毎の突出部２００ｂは、天板１００の溝部１０５ｌ、１０５ｒにそれぞれ嵌め込まれる。これにより、天板１００及び２組の脚板２００のみから、固定具を用いずにテーブルが組み立てられる。
【００３２】
これによれば、組立式テーブル１０の組み立てに固定具を用いないため、組み立てに時間を要しない。これにより、入場時間に制限があるイベント会場において、誰もが速やかに陳列テーブルを組み立てることができる。また、運搬時の固定具の紛失等の心配がなく、固定具が不要な分だけコスト安ともなる。
【００３３】
また、脚部３００は、２枚の脚板２００を１組として溝２００ａを嵌め合うだけで組み立てられる。本実施形態では、脚部３００を自立させた状態で天板１００の溝部１０５に脚板２００の突出部２００ｂを嵌合させる。これによれば、２枚ずつ１組の脚板２００を２組用いて天板１００を両側から支えるようにしたので、比較的大きなテーブルを組み立てることができる。
【００３４】
＜変形例＞
組立式テーブル１０では、脚板２００及び天板１００からなるパーツの組合せを変更するだけで、イベント毎に必要となる、異なるタイプのテーブルを組み立てることができる。
【００３５】
（変形例１）
組立式テーブル１０の変形例１では、図２（ｂ）に示したように、天板１００の形状を変える。変形例１では、天板１００を矩形に形成して、脚部３００と嵌合する溝１０５ｌ、１０５ｒの位置や形状は変えない。これによれば、図１に示した天板１００に替えて、本変形例の天板１００を２組の脚部３００と嵌合させるだけで、より陳列スペースの広い、趣の異なるテーブルを完成させることができる。
【００３６】
（変形例２）
組立式テーブル１０の変形例２では、図４（ａ）〜図４（ｃ）に示したように、天板１００の大きさが第１実施形態の天板１００の約半分のものを使う。または、変形例２で使用する脚部３００は１組である。
【００３７】
図４（ａ）の天板１００は正方形であり、天板１００の裏面にはその中心から点対称な位置に４つの溝部１０５が形成されている。１組の脚部３００の上部に形成された４つの突出部２００ｂに、天板１００の４つの溝部１０５が嵌め合わされる。これにより、比較的小さく、デッドスペースにも適用できる組立式テーブル１０を組み立てることができる。
【００３８】
なお、図４（ａ）の天板１００に替えて、図４（ｂ）に示したように、天板１００の一つの面がＲ形状であって対向する面に角部を有する略かまぼこ型の天板１００を用いても良い。また、図４（ｃ）に示したように、円形状の天板１００を用いても良い。
【００３９】
このように、天板１００を一枚板にし、裏側に嵌合溝を設けることにより、天板１００の形状を変更することができ、バリエーションが豊富な組立式テーブル１０を簡単に作ることができる。具体的には、長方形、かまぼこ状、円形等色々な形状の天板１００を適宜用い、かつ脚板２００の形状は１種類のみを使用してその枚数だけを変えることにより、一人用の机から、長い机まで様々なタイプの机をその場で組み合わせて作ることができる。これにより、イベント毎にテーブルを用意する必要がなくなる。また、テーブルを構成する各パーツが同じ構成を有しているため、イベント会場へのパーツの持ち運びが楽になる。
【００４０】
以上、添付図面を参照しながら本考案の好適な実施形態について詳細に説明したが、本考案はかかる例に限定されないことは言うまでもない。本考案の属する技術の分野における通常の知識を有する者であれば、実用新案登録請求の範囲に記載された技術的思想の範疇内において、各種の変更例または修正例に想到し得ることは明らかであり、これらについても当然に本考案の技術的範囲に属するものと了解される。
【００４１】
たとえば、本考案に係る組立式テーブルは、他の用途に使うことができる。たとえば、組立式陳列棚として使用したり、機械的強度が強い材質を用いれば組立式椅子として使用したりすることもできる。
【符号の説明】
【００４２】
１０        組立式テーブル
１００      天板
１０５，１０５ｌ，１０５ｒ  溝
２００      脚板
２００ａ    溝
２００ａ１  隅切角
２００ｂ    突出部
Ｏｐ        開口
【図１】
0003150879.tif 000003
【図２】
0003150879.tif 000004
【図３】
0003150879.tif 000005
【図４】
0003150879.tif 000006